Podtech/llm-jp-corpus-v4-ja_patent huggingface dataset:
【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
複数エネルギーのＸ線放射線を生成するＸ線管であって、
陽極と、
フィルタユニットとを有し、
前記陽極が、Ｘ線放射線投影方向を横断するオフセット方向において互いからオフセットされる少なくとも第１及び第２の焦点スポット位置を有し、
前記フィルタユニットは、Ｘ線放射線に関する第１のフィルタリング特性を持つ第１の部分の第１の複数と、Ｘ線放射線に関する第２のフィルタリング特性を持つ第２の部分の第２の複数とを有し、
前記フィルタユニットが、
−前記第１の焦点スポット位置から放射する第１のＸ線ビームの少なくとも第１の部分が、前記第１の部分を介して前記フィルタユニットを通過し、
−前記第２の焦点スポット位置から放射する第２のＸ線ビームの少なくとも第２の部分は、前記フィルタユニットを通過するとき、前記第２の部分を通過するという態様で構成される指向性フィルタであり、
前記第１の部分を介して前記フィルタユニットを通過する前記第１のＸ線ビームの部分、及び前記フィルタユニットを通過するとき前記第２の部分を通過する前記第２のＸ線ビームの部分が、対象物の照射のために前記フィルタユニットの共通の領域を通過し、
前記フィルタユニットが、前記第１及び第２の焦点スポット位置に対して着脱自在に固定される、
Ｘ線管。
【請求項２】
前記第１の部分の横方向の面が、共通の参照ポイントに対して整列配置され、前記共通の参照ポイントは、前記第１の焦点スポット位置である、請求項１に記載のＸ線管。
【請求項３】
前記Ｘ線管が、陰極構成を含むデュアルエネルギー管であり、該管は、前記第１の焦点スポット位置に対して第１の加速電圧を持つ第１の電子ビームを提供し、前記第２の焦点スポット位置に対して第２の加速電圧を持つ第２の電子ビームを提供するよう構成され、前記第１の電圧が、前記第２の電圧より低く、
前記第２のフィルタ特性は、前記第２の電圧ビームから低エネルギー光子を除去するよう構成される、請求項１又は２に記載のＸ線管。
【請求項４】
前記フィルタユニットが、前記第２のフィルタリング特性を具備するフィルタ体構造を有し、前記第１の部分は、前記フィルタ体構造においてリセスとして提供される、請求項１乃至３の一項に記載のＸ線管。
【請求項５】
前記第２の部分が、前記オフセット方向においてそれらのフィルタリング特性において異なる、請求項１乃至４の一項に記載のＸ線管。
【請求項６】
前記フィルタユニットが、前記Ｘ線放射線の方向のステープルにおいて配置される複数のフィルターシートを有し、前記フィルターシートはそれぞれ、隣接するフィルターシートの前記第１のサブ部分と整列配置される複数の第１のサブ部分を具備する、請求項１乃至５の一項に記載のＸ線管。
【請求項７】
前記陽極が、回転軸を持つ回転陽極であり、前記Ｘ線ビームは、前記回転軸に対して垂直な方向において放出され、
前記第２の焦点スポット位置が、前記Ｘ線放射線投影方向に垂直で前記回転軸に平行な第１のオフセット方向において、及び／又は、前記回転軸に垂直で前記放出方向に垂直な第２のオフセット方向において、前記第１の焦点スポット位置に対してオフセットされる、請求項１乃至６の一項に記載のＸ線管。
【請求項８】
前記Ｘ線管が、外層を有し、前記フィルタユニットは、前記外層内部又は前記外層のＸ線ウィンドウの外側に配置される、請求項１乃至７の一項に記載のＸ線管。
【請求項９】
Ｘ線撮像システムであって、
Ｘ線源と、
Ｘ線検出器とを有し、
前記Ｘ線源が、請求項１乃至８の一項に記載のＸ線管を有し、
前記Ｘ線検出器は、前記第１の焦点スポット位置から放射する前記第１のＸ線ビームから、及び前記第２の焦点スポット位置から放射する前記第２のＸ線ビームから生じるＸ線放射線を検出するよう構成される、Ｘ線撮像システム。
【請求項１０】
複数エネルギーのＸ線ビームを生成する方法において、
ａ）電子ビームを生成するステップと、
ｂ）前記電子ビームが、交互する態様で、Ｘ線管の第１の焦点スポット位置及び第２の焦点スポット位置で衝突するよう、前記電子ビームを方向付けるステップであって、
ｂ１）第１のＸ線ビームが、前記第１の焦点スポット位置から放射し、
ｂ２）第２のＸ線ビームは、前記第２の焦点スポット位置から放射する、ステップと、
ｃ）フィルタユニットを通り前記第１及び第２のＸ線ビームが通過するステップであって、
ｃ１）前記第１のＸ線ビームの少なくとも第１の部分が、前記フィルタユニットの第１の部分を通過し、
ｃ２）前記第２のＸ線ビームの少なくとも第２の部分は、第２の部分を通過する、ステップとを有し、
前記第１の部分は、前記Ｘ線放射線に関する第１のフィルタリング特性を具備し、前記第２の部分が、Ｘ線放射線に関する第２のフィルタリング特性を具備し、
前記フィルタユニットが、前記第１及び第２の焦点スポット位置に対して着脱自在に固定される、
方法。
【請求項１１】
前記ステップａ）において、前記電子ビームが、前記第１の焦点スポットに対する第１の加速電圧と、前記第２の焦点スポットに対する第２の加速電圧とを持つデュアルエネルギー電子ビームとして提供され、前記第１の電圧が、前記第２の電圧より低く、
前記ステップｃ２）において、前記第２の部分は、前記第２の高電圧ビームから低エネルギー光子を除去する、請求項１０に記載の方法。
【請求項１２】
複数エネルギーのＸ線放射線の生成に関するフィルタユニットの使用であって、
前記フィルタユニットが、Ｘ線放射線に関する第１のフィルタリング特性を持つ第１の複数の第１の部分と、Ｘ線放射線に関する第２のフィルタリング特性を持つ第２の部分の第２の複数とを有し、
前記フィルタユニットは、
−第１の焦点スポット位置から放射する第１のＸ線ビームの少なくとも第１の部分が、前記第１の部分を介して前記フィルタユニットを通過し、
−第２の焦点スポット位置から放射する第２のＸ線ビームの少なくとも第２の部分は、前記フィルタユニットを通過するとき、前記第２の部分を通過するという態様で構成される指向性フィルタであり、
前記第２のＸ線ビームの前記第２の部分は、前記第１のＸ線ビームの前記第１の部分より大きく、
前記第１の部分を介して前記フィルタユニットを通過する前記第１のＸ線ビームの部分、及び前記フィルタユニットを通過するとき前記第２の部分を通過する前記第２のＸ線ビームの部分が、対象物の照射のために前記フィルタユニットの共通の領域／セクションを通過し、
前記フィルタユニットが、前記第１及び第２の焦点スポット位置に対して着脱自在に固定される、
フィルタユニットの使用。
【請求項１３】
コンピュータに、請求項１０又は１１に記載の方法の各ステップを実行させるための、コンピュータプログラム。
【請求項１４】
請求項１３に記載のコンピュータプログラムが格納されたコンピュータ可読媒体。
【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
改善されたメモリ管理システムによりメモリの割当及び利用を要求するためにソフトウェアアプリケーションにおいてコンピュータが少なくとも1つのプロセッサにより実行する方法であって、
アプリケーションがメモリ割当をどのように使用しようとしているかを示す割当メタデータを設定するステップと、
前記メモリ割当の内容を設定するメモリ充足機能を設定するステップと、
複数のアプリケーションの間で共有される物理メモリを管理するホストにより提供される割当インタフェースを起動するステップであって、前記アプリケーションが、設定された割当メタデータ及びメモリ充足機能を前記割当インタフェースを介して前記ホストにもたらす、ステップと、
前記割当インタフェースを起動したことに応答して、前記アプリケーションが前記メモリ割当を以後使用する際の間接的な識別子として機能するリファレンスを受信するステップと
を有する方法。
【請求項２】
前記割当メタデータを設定するステップが、割当メタデータを受信する割当機能部に通知するパラメータ構造を構築することを含む、請求項１に記載の方法。
【請求項３】
前記割当メタデータを設定するステップが、割当が生じた後に割当メタデータを提供する個別のアプリケーションプログラミングインタフェース(API)を呼び出すことを含む、請求項１に記載の方法。
【請求項４】
前記割当メタデータを設定するステップが、メモリ管理を促すために、割当メタデータを受け入れるメモリを割り当てるために導出されたクラスのパラメータを設定することを含む、請求項１に記載の方法。
【請求項５】
設定する前記割当メタデータが、前記アプリケーションに対する前記メモリの優先度を含むメタデータを有する、請求項１に記載の方法。
【請求項６】
設定する前記割当メタデータが、割り当てられたメモリを前記アプリケーションがどの程度頻繁に利用する予定であるかを含むメタデータを有する、請求項１に記載の方法。
【請求項７】
設定する前記割当メタデータが、前記アプリケーションにとって割当の内容を置換することがどの程度困難であるかを含むメタデータを有する、請求項１に記載の方法。
【請求項８】
前記メモリ充足機能を設定するステップが、前記メモリ割当の内容を設定するためにファイルの情報にアクセスする関数を設定することを含む、請求項１に記載の方法。
【請求項９】
前記メモリ充足機能を設定するステップが、前記アプリケーションを起動することなく前記アプリケーションの代わりにメモリの内容を設定するために前記ホストにより後に呼び出すことが可能な関数を設定することを含む、請求項１に記載の方法。
【請求項１０】
前記メモリ充足機能を設定するステップが、前記メモリを解放及び再割当するのに必要な情報、又は前記メモリの割当及び初期割当を前記ホストにとって更に相応しい時まで遅らせるのに必要な情報を前記ホストに提供することを含む、請求項１に記載の方法。
【請求項１１】
前記リファレンスを受信するステップが、前記アプリケーションが前記メモリを使用することを希望している場合に、前記メモリに直接的にアクセスするため前記ホストに前記リファレンスを提供することを含む、請求項１に記載の方法。
【請求項１２】
前記アプリケーションが割り当てられたメモリとの関連を絶ったことを前記アプリケーションが検出した場合に、前記割当インタフェースを起動し、以前に割り当てた該メモリを解放するステップを更に有する請求項１に記載の方法。
【請求項１３】
前記アプリケーションが前記メモリにアクセスした後に、前記メモリを利用できなくしてもよい管理動作を前記ホストが再び実行可能なことを前記ホストに通知するステップを更に有する請求項１に記載の方法。
【請求項１４】
ソフトウェアアプリケーションにおいてメモリの割当及び利用を制御する機能をアプリケーションホストに提供する、ソフトウェア命令を実行するように形成されたプロセッサ及びメモリを有するコンピュータシステムであって、
メモリ割当の各々に関連する情報を受信するメタデータ受信要素であって、アプリケーションにより前記メモリがどのように使用されるかを示す情報をアプリケーションホストに提供する、メタデータ受信要素と、
特定のメモリ割当の内容がどのように満たされるかを示す情報を受信する条件充足要素と、
受信したメタデータ及び充足条件に基づいてメモリを割り当てるために前記アプリケーションからホストへリクエストを送付する割当リクエスト要素と、
以前に送付された割当リクエストに従っていたメモリに前記アプリケーションがアクセスする前に、前記アプリケーションから通知を受信するメモリリファレンス要素と、
メモリ割当の仕方を交渉するために前記アプリケーション及び前記ホストの間に通信インタフェースを提供するアプリケーションインタフェース要素と、
前記アプリケーションが動作する環境を含み、受信したメタデータ及び充足条件を利用してメモリを管理するメモリマネジャを提供するホスト要素と
を有するコンピュータシステム。
【請求項１５】
割り当てたものに前記アプリケーションがどの程度容易にアクセス可能であるべきか、或いは割当に関連する前記メモリに前記アプリケーションがどの程度頻繁にアクセスする予定であるかを示す情報を、前記メタデータ受信要素が受信する、請求項１４に記載のコンピュータシステム。
【請求項１６】
請求項１〜１３のうち何れか１項に記載の方法を前記少なくとも１つのプロセッサに実行させるコンピュータプログラム。
【請求項１７】
請求項１６に記載のコンピュータプログラムを記憶するコンピュータ読み取り可能な記憶媒体。
【手続補正２】
【補正対象書類名】明細書
【補正対象項目名】００３４
【補正方法】変更
【補正の内容】
【００３４】
一実施形態において、メモリ管理システムはメモリの割当各々に関する電力状態(の情報)を受信する。例えば、電力レベルXの場合、システムは、メモリ割当はもはや必要ないと判断してもよい。これは、その電力レベルにおいて必要とされていない何らかのメモリをオフロード又は解放することで、バッテリに制約のある装置が低電力モードに切り替わるようにすることが可能である。例えば、移動電話機は、着信呼に応答する又は新規電子メールをユーザに通知する程度に十分なアプリケーションデータをメモリに維持するが、他の低優先度の機能又はアプリケーションを解放してもよい。一実施形態において、アプリケーションは、低電力状態ならばメモリを利用する前にポインタの有効性を確認する必要があるにすぎないが、より高い電力状態ならばメモリに対して通常のアクセスを行うかもしれない。これは、所与の何らかのプラットフォームに関し、アプリケーションとホストとの間の取り決めによる保証として実行されることが可能である。
【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
タイムラインとインタラクトするためのシステムであって、
第１の開始時間と第１の終了時間によって境界される第１の時間セグメント内の第１の複数のイベントを示す第１のタイムラインを表示するための第１のタイムラインユニットと、
第２の開始時間と第２の終了時間によって境界される第２の時間セグメント内の第２の複数のイベントを示す、前記第１のタイムラインのコピーである第２のタイムラインを表示するための第２のタイムラインユニットであって、前記第１のタイムラインと前記第２のタイムラインは同じスケールで表示される、第２のタイムラインユニットと、
ユーザが表示された前記時間セグメントへの変更を指示することを可能にするためのインタラクションユニットと、
前記指示された変更に基づいて更新された第１の時間セグメントと更新された第２の時間セグメントを決定し、前記第１のタイムラインのスケールを前記第２のタイムラインのスケールに等しく維持し、前記第１の時間セグメントと前記第２の時間セグメントの間のオフセットを一定に維持するための時間セグメント更新器とを有し、
前記タイムラインユニットが前記更新された時間セグメントに従ってそれらの各々の表示を更新するように構成される、システム。
【請求項２】
前記ユーザが前記第１のタイムラインに関する第１の時点及び前記第２のタイムラインに関する第２の時点を指示することを可能にするための時点入力ユニットをさらに有し、前記第１のタイムラインユニットと前記第２のタイムラインユニットが、前記第１のタイムライン上の前記第１の時点を前記第２のタイムライン上の前記第２の時点と整列させ、前記ユーザが前記時間セグメントを変更するときに前記時点を整列したままにするように構成され、前記オフセットが前記第１の時点と前記第２の時点の間のオフセットに対応する、請求項１に記載のシステム。
【請求項３】
前記第１のタイムラインユニットと前記第２のタイムラインユニットが前記二つのタイムラインを互いに平行に表示するように構成され、前記第１のタイムライン上の前記第１の時点と前記第２のタイムライン上の前記第２の時点が、前記タイムラインユニットによって整列されるときに、前記第１のタイムライン若しくは前記第２のタイムラインの時間軸に実質的に垂直な線を画定する、請求項２に記載のシステム。
【請求項４】
前記第１の時間セグメントと前記第２の時間セグメントへの変更がスケールの変更及び時間シフトの少なくとも一つを有する、請求項１に記載のシステム。
【請求項５】
前記第１の時間セグメントが現在の期間を有し、前記第２の時間セグメントが過去の期間を有する、請求項１に記載のシステム。
【請求項６】
複数のイベントの表現にアクセスするためのデータアクセスユニットを有し、各イベントはそれと関連する時点を持ち、前記第１のタイムラインユニットが前記第１の時間セグメントにおける時点と関連するイベントの選択を表示するように構成され、前記第２のタイムラインユニットが前記第２の時間セグメントにおける時点と関連するイベントの選択を表示するように構成される、請求項１に記載のシステム。
【請求項７】
前記イベントが少なくとも一人の患者に関連し、前記イベントが少なくとも一つの患者記録に記憶される、請求項６に記載のシステム。
【請求項８】
前記第１のタイムラインについて選択されるイベントと前記第２のタイムラインについて選択されるイベントが同じ対象に関連する、請求項６に記載のシステム。
【請求項９】
前記複数のイベントの表現が少なくとも第１のイベントセット及び異なる第２のイベントセットを有し、前記第１のタイムライン上に表示されるイベントが前記第１のイベントセットから選択され、前記第２のタイムライン上に表示されるイベントが前記第２のイベントセットから選択される、請求項６に記載のシステム。
【請求項１０】
前記第１のイベントセットが第１の対象に関連し、前記第２のイベントセットが第２の対象に関連する、請求項９に記載のシステム。
【請求項１１】
各々第１及び第２の基準セットに基づいて前記対象に関連する複数のイベントをフィルタリングすることによって前記第１及び第２のイベントセットを生成するように構成されるイベントフィルタを有する、請求項９又は１０に記載のシステム。
【請求項１２】
前記第１のタイムラインユニットと前記第２のタイムラインユニットが各々前記第１のタイムラインと前記第２のタイムラインの点に沿って関連する絶対時間の表示を表示するように構成される、請求項１に記載のシステム。
【請求項１３】
請求項１に記載のシステムを有するワークステーション。
【請求項１４】
タイムラインとインタラクトする方法であって、
第１の開始時間と第１の終了時間によって境界される第１の時間セグメント内の第１の複数のイベントを示す第１のタイムラインを表示するステップと、
前記第１のタイムラインをコピーし、第２のタイムラインがあるようにするステップと、
第２の開始時間と第２の終了時間によって境界される第２の時間セグメント内の第２の複数のイベントを示す前記第２のタイムラインを表示するステップであって、前記第１のタイムラインと前記第２のタイムラインは同じスケールで表示される、ステップと、
ユーザが表示された前記時間セグメントへの変更を指示することを可能にするステップと、
前記指示された変更に基づいて更新された第１の時間セグメントと更新された第２の時間セグメントを決定し、前記第１のタイムラインのスケールを前記第２のタイムラインのスケールに等しく維持し、前記第１の時間セグメントと前記第２の時間セグメントの間のオフセットを一定に維持するステップと、
前記更新された時間セグメントに従って前記表示されたタイムラインを更新するステップとを有する、方法。
【請求項１５】
プロセッサシステムに請求項１４に記載の方法を実行させるための命令を有するコンピュータプログラム製品。
【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
少なくとも一つの個人ストアへのアクセスをもつ、プロセッサを有する第一の装置によって実行される方法であって：
個人装置を通じて個人によってそれぞれ表現された少なくとも一つのメッセージを前記少なくとも一つの個人ストアから受領する段階であって、それぞれのメッセージは前記個人が前記メッセージを表現したときの前記個人装置の位置に関連付けられている、段階と；
前記少なくとも一つのメッセージを呈示する要求をユーザーから受け取ったときに：
前記少なくとも一つのメッセージに関連付けられた位置を示すマップを生成し；
前記マップをユーザーに対して呈示する段階と；
前記マップ上で呈示される選択されたメッセージの選択をユーザーから受け取ったときに：
前記個人装置の少なくとも一つの装置機能に関わり、前記選択されたメッセージが前記個人によって表現された個人装置で呼び出すことのできるアクションを同定し；
前記マップ上で、前記アクションについてのアクション・オプションを呈示する段階と；
前記アクション・オプションの選択をユーザーから受け取ったときに、前記個人装置に関わる前記アクションを呼び出す段階とを含む、
方法。
【請求項２】
前記少なくとも一つのメッセージを前記少なくとも一つの個人ストアから受領する段階が：それぞれの個人ストアに、その個人ストアから前記ユーザーにとってアクセス可能な前記少なくとも一つのメッセージを要求することを含む、請求項１記載の方法。
【請求項３】
請求項２記載の方法であって：
少なくとも一つの個人ストアが、ユーザーにメッセージを送る前に、前記ユーザーに関連付けられている少なくとも一つのクレデンシャルに従って前記ユーザーを認証するよう構成されており；
当該方法が、前記ユーザーを認証する少なくとも一つの提出されたクレデンシャルを受領したときに、前記少なくとも一つの提出されたクレデンシャルを、前記ユーザーに関連付けられた記憶されたクレデンシャルとして記憶するよう構成されており；
個人ストアから前記メッセージを要求することが：前記ユーザーに関連付けられた前記少なくとも一つのクレデンシャルに従って前記ユーザーをその個人ストアに対して認証することを含む、
方法。
【請求項４】
請求項２記載の方法であって：
前記ユーザーがあるユーザー位置を有し；
個人ストアから前記少なくとも一つのメッセージを要求することが：前記ユーザー位置からある範囲内である位置をもつ前記少なくとも一つのメッセージを要求することを含む、
方法。
【請求項５】
請求項２記載の方法であって：
前記第一の装置が、前記ユーザーに対して呈示するためのあるメッセージ問い合わせ頻度で少なくとも一つの個人ストアから前記少なくとも一つのメッセージを要求するよう構成されており、
個人ストアから前記メッセージを要求することが：それぞれの個人ストアに、その個人ストアから前記ユーザーにとってアクセス可能でありかつある位置をもつ前記少なくとも一つのメッセージを、前記メッセージ問い合わせ頻度より高い位置メッセージ問い合わせ頻度で要求することを含む、
方法。
【請求項６】
請求項２記載の方法であって：
少なくとも一つの個人ストアが、前記少なくとも一つのメッセージをユーザーに送るよう構成された個人ストア・インターフェースを有しており；
個人ストアから前記少なくとも一つのメッセージを要求することが：少なくとも一つの個人ストアについて、前記少なくとも一つのメッセージを要求するためにその個人ストア・インターフェースを呼び出すことを含む、
方法。
【請求項７】
請求項１記載の方法であって：
前記第一の装置が、メッセージを記憶するよう構成されたメッセージ・ストアを有しており；
当該方法が、第一の時点において選択されたメッセージを受領したときに、前記選択されたメッセージを前記第一の時点とともに前記メッセージ・ストアに記憶するよう構成されており；
前記マップの生成が：前記少なくとも一つのメッセージを呈示する要求を、前記第一の時点よりあとの第二の時点においてユーザーから受け取ったときに、前記少なくとも一つのメッセージを前記メッセージ・ストアから取り出すことを含む、
方法。
【請求項８】
請求項７記載の方法であって：
前記要求が選択された時点を指定し；
前記少なくとも一つのメッセージを前記メッセージ・ストアから取り出すことが：前記メッセージ・ストアから、前記選択された時点からある範囲内の時点をもつ前記少なくとも一つのメッセージを受領することを含む、
方法。
【請求項９】
請求項１記載の方法であって：
前記ユーザーがあるユーザー位置を有しており；
前記マップの生成が：少なくとも一つのメッセージに関連付けられた少なくとも一つの位置を示す、前記ユーザー位置からある範囲内に局所化されたマップを生成することを含む、
方法。
【請求項１０】
少なくとも二つの個人ストアへのアクセスをもつ、プロセッサを有する第一の装置に関わる、個人装置によって実行される方法であって、前記プロセッサ上で実行されたときに、前記第一の装置に：
それぞれ個人装置を通じて個人によって表現され、それぞれ個人がそのメッセージを表現したときのその個人装置の位置に関連付けられている少なくとも一つのメッセージを前記少なくとも二つの個人ストアから受領する段階と；
前記少なくとも二つの個人ストアからの前記少なくとも一つのメッセージを前記メッセージ・ストア内に集める段階と；
前記少なくとも一つのメッセージを呈示する要求をユーザーから受け取ったときに、前記少なくとも一つのメッセージに関連付けられた位置を示すマップをユーザーに対して呈示する段階と；
前記マップ上で呈示される選択されたメッセージの選択をユーザーから受け取ったときに：
前記個人装置の少なくとも一つの装置機能に関わり、前記選択されたメッセージが前記個人によって表現された個人装置で呼び出すことのできるアクションを同定し；
前記マップ上で、前記アクションについてのアクション・オプションを呈示する段階と；
前記アクション・オプションの選択をユーザーから受け取ったときに、前記個人装置に関わる前記アクションを呼び出す段階とを実行させる命令を前記第一の装置に送ることを含む、
方法。
【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
複数の光起電性（ＰＶ）モジュールを含むＰＶシステムのための制御ハブにおいて、
複数のインタフェースモジュールであって、前記複数のインタフェースモジュールのそれぞれが、電力変換器と、前記電力変換器に結合されるとともにＰＶモジュールに結合するように構成されるコネクタとを含む、複数のインタフェースモジュールと、
前記インタフェースモジュールに結合される処理装置であって、前記電力変換器に関連付けられた前記ＰＶモジュールを制御するように、前記電力変換器のそれぞれを制御するように構成される、処理装置と、
前記処理装置が備え付けられたメイン回路基板と、
前記複数のインタフェースモジュールの内の一つのインタフェースモジュールを含むモジュール印刷回路基板（ＰＣＢ）であって、前記メイン回路基板上でモジュールのコネクタに取り外し自在に結合される、モジュールＰＣＢと
を含む制御ハブ。
【請求項２】
前記処理装置は、前記電力変換器に関連付けられた前記ＰＶモジュールに対する最大電力点を実質的に達成するように、前記電力変換器のそれぞれを個別に制御するように構成される請求項１に記載の制御ハブ。
【請求項３】
前記処理装置は、前記複数のインタフェースモジュールの各電力変換器を、順次制御するように構成される請求項１に記載の制御ハブ。
【請求項４】
前記処理装置と、遠隔のコンピュータ装置との間の通信を促進するように構成される通信インタフェースをさらに備える請求項１〜３のいずれか一つに記載の制御ハブ。
【請求項５】
直流（ＤＣ）電圧バスと、
前記ＤＣ電圧バスに結合されるＤＣ／交流（ＡＣ）インバータとをさらに備え、
各電力変換器の出力部は前記ＤＣ電圧バスに結合される請求項１〜４のいずれか一つに記載の制御ハブ。
【請求項６】
各電力変換器は、前記コネクタを介してＰＶモジュールからの入力電圧を受け入れ、前記ＤＣ電圧バスに中間的な電圧を出力するように構成され、
前記電力変換器は、前記ＤＣ電圧バスに直列に結合される請求項５に記載の制御ハブ。
【請求項７】
前記制御ハブからＤＣ電力を出力するように、前記ＤＣ電圧バスに結合される出力コネクタをさらに含む請求項６に記載の制御ハブ。
【請求項８】
複数のＰＶモジュールと、
請求項１〜７のいずれか一つに記載の制御ハブと、
を備える光起電性（ＰＶ）システム。
【請求項９】
前記処理装置は、前記電力変換器に関連付けられた前記ＰＶモジュールに対する最大電力点を実質的に達成するように、前記電力変換器のそれぞれを個別に制御するように構成される請求項８に記載のＰＶシステム。
【請求項１０】
前記処理装置は、前記複数のインタフェースモジュールの各電力変換器を、順次制御するように構成される請求項８に記載のＰＶシステム。
【請求項１１】
各ＰＶモジュールは、各ＰＶモジュールの関連付けられたコネクタを介して、それぞれのインタフェースモジュールに結合される請求項８〜１０のいずれか一つに記載のＰＶシステム。
【請求項１２】
前記複数のインタフェースモジュール及び前記処理装置を、少なくとも部分的に囲う筐体と、
前記筐体から伸張する複数のピグテールであって、各ピグテールが前記複数のコネクタの一つを含む、複数のピグテールと
をさらに備える請求項１１に記載のＰＶシステム。
【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
コンデンサ構造において、
少なくとも１つのフィードスルー開口を画定している表面を備えるコンデンサであって、前記表面はコンデンサ位置合わせ機構を備えている、コンデンサと、
前記表面へ付着されているセラミック絶縁体層であって、当該セラミック絶縁体層は、少なくとも１つのフィードスルー開口を画定していてセラミック絶縁体層位置合わせ機構を含んでおり、前記コンデンサ位置合わせ機構と当該セラミック絶縁体層位置合わせ機構が協働して、前記セラミック絶縁体層を前記コンデンサに実質的に整列させるとともに、前記セラミック絶縁体層に画定されている前記少なくとも１つのフィードスルー開口を前記コンデンサの前記表面に画定されている少なくとも１つのフィードスルー開口と実質的に整列させる、セラミック絶縁体層とを備えており、
前記コンデンサ位置合わせ機構は、位置合わせ開口、又は、前記表面から実質的に垂直に延びる位置合わせ突起を備えている、コンデンサ構造。
【請求項２】
前記表面は外周を備えており、前記突起は前記外周の一部分に沿って延びている、請求項１のデバイス。
【請求項３】
前記セラミック絶縁体層位置合わせ機構は、前記セラミック絶縁体層の外周の或る形状を備えている、請求項１のデバイス。
【請求項４】
フィードスルー組立体において、
フェルール開口を画定しているフェルールと、
導体と、
請求項１乃至３の何れか１項に記載のコンデンサ構造とを備えているフィードスルー組立体。
【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
CD20に特異的なモノクローナル抗体と、GM-CSFに特異的なモノクローナル抗体とを含む、Ｂ細胞悪性腫瘍または炎症性疾患の治療のための医薬組成物。
【請求項２】
CD20に特異的なモノクローナル抗体を含む、Ｂ細胞悪性腫瘍または炎症性疾患の治療のための医薬組成物であって、GM-CSFに特異的なモノクローナル抗体を含む組成物と組み合わせて投与される、上記組成物。
【請求項３】
GM-CSFに特異的なモノクローナル抗体を含む、Ｂ細胞悪性腫瘍または炎症性疾患の治療のための医薬組成物であって、CD20に特異的なモノクローナル抗体を含む組成物と組み合わせて投与される、上記組成物。
【請求項４】
Ｂ細胞悪性腫瘍が、非ホジキンリンパ腫、バーキットリンパ腫、小リンパ球性リンパ腫、原発性滲出液リンパ腫、びまん性大細胞型Ｂ細胞リンパ腫、脾性辺縁帯リンパ腫、MALT（粘膜関連リンパ組織）リンパ腫、有毛細胞白血病、慢性リンパ球性白血病、Ｂ細胞前リンパ球性白血病、Ｂ細胞リンパ腫（例えば種々の形態のホジキン病、Ｂ細胞非ホジキンリンパ腫(NHL)）、白血病(例えば急性リンパ芽球性白血病(ALL)、慢性リンパ性白血病(CLL；Ｂ細胞慢性リンパ性白血病(BCLL)ともいう)、有毛細胞白血病および慢性筋原性(myoblastic)白血病)および骨髄腫（例えば多発性骨髄腫）から選択される、請求項１〜３のいずれか１項記載の組成物。
【請求項５】
炎症性疾患が、潰瘍性大腸炎、クローン病、炎症性腸疾患、関節リウマチ、筋炎、多発性硬化症、視神経脊髄炎、アテローム性動脈硬化症、乾癬、全身性エリテマトーデス、腎炎、糸球体腎炎、自己免疫性肝胆汁性疾患、移植片対宿主病、アトピー性皮膚炎、喘息、神経変性疾患（例えばアルツハイマー病）、脱髄性多発神経根障害、神経障害性疼痛、アテローム性動脈硬化症、加齢性黄斑変性症、糖尿病性腎症、サルコイドーシスによるブドウ膜炎、または糖尿病から選択される、請求項１〜３のいずれか１項記載の組成物。
【請求項６】
CD20に特異的なモノクローナル抗体を含む組成物と、GM-CSFに特異的なモノクローナル抗体を含む組成物とを別個に投与する、請求項２または３記載の組成物。
【請求項７】
CD20に特異的なモノクローナル抗体を含む組成物をGM-CSFに特異的なモノクローナル抗体を含む組成物より前に投与する、請求項２記載の組成物。
【請求項８】
GM-CSFに特異的なモノクローナル抗体を含む組成物をCD20に特異的なモノクローナル抗体を含む組成物より前に投与する、請求項３記載の組成物。
【請求項９】
GM-CSFに特異的なモノクローナル抗体を含む組成物とCD20に特異的なモノクローナル抗体を含む組成物とをほぼ同時に投与する、請求項２または３記載の組成物。
【請求項１０】
CD20に特異的な抗体が以下のアミノ酸配列：
2014520784.tif 000001
を含むポリペプチドに結合する、請求項１〜９のいずれか１項記載の組成物。
【請求項１１】
CD20に特異的な抗体が、配列SYNMHのHCDR1領域、配列AIYPGNGDTSYNQKFKGのHCDR2領域、配列STYYGGDWYFNVのHCDR3領域、配列RASSSVSYIHのLCDR1領域、配列ATSNLASのLCDR2領域、および配列QQWTSNPPTのLCDR3領域を含むCD20に特異的な抗体である、請求項１０記載の組成物。
【請求項１２】
CD20に特異的な抗体が、配列SYNMHのHCDR1領域、配列AIYPGNGDTSYNQKFKGのHCDR2領域、配列STYYGGDWYFNVのHCDR3領域、配列RASSSVSYIHのLCDR1領域、配列ATSNLASのLCDR2領域、および配列QQWTSNPPTのLCDR3領域を含むCD20に特異的な抗体と交差競合する抗体である、請求項１０記載の組成物。
【請求項１３】
GM-CSFに特異的な抗体が以下のアミノ酸配列：
2014520784.tif 000002
を含むポリペプチドに結合する、請求項１〜１２のいずれか１項記載の組成物。
【請求項１４】
GM-CSFに特異的な抗体が、配列GFTFSSYWMNのHCDR1領域、配列GIENKYAGGATYYAASVKGのHCDR2領域、配列GFGTDFのHCDR3領域、配列SGDSIGKKYAYのLCDR1領域、配列KKRPSのLCDR2領域、および配列SAWGDKGMのLCDR3領域を含むGM-CSFに特異的な抗体である、請求項１３記載の組成物。
【請求項１５】
GM-CSFに特異的な抗体が、配列GFTFSSYWMNのHCDR1領域、配列GIENKYAGGATYYAASVKGのHCDR2領域、配列GFGTDFのHCDR3領域、配列SGDSIGKKYAYのLCDR1領域、配列KKRPSのLCDR2領域、および配列SAWGDKGMのLCDR3領域を含むGM-CSFに特異的な抗体と交差競合する抗体である、請求項１３記載の組成物。
【手続補正書】
【提出日】平成27年7月8日(2015.7.8)
【手続補正１】
【補正対象書類名】特許請求の範囲
【補正対象項目名】全文
【補正方法】変更
【補正の内容】
【特許請求の範囲】
【請求項１】
膨張可能なエアバッグと、
前記エアバッグを膨張させるためにガスを供給するように構成されたインフレータと、
開口に隣接する前記エアバッグの表面に寄せて位置合わせされたテザーと、
を具備するエアバッグモジュールであって、
前記エアバッグが、前記エアバッグから膨張ガスを流出させることができるように、前記エアバッグの前記表面に排気開口を含み、
前記テザーが第１のテザー開口を含み、かつ前記テザーは、前記エアバッグの完全な展開前に前記第１のテザー開口と前記排気開口が位置合わせされるように構成され、
前記テザーから分離して前記エアバッグに固定して接続されるガイド層を含み、前記ガイド層は、前記テザーの前記排気開口とは反対側に配置され、これにより、前記テザーの位置を前記エアバッグの表面に寄せて維持し、
前記エアバッグの展開中に、前記第１のテザー開口及び排気開口が位置合わせされた状態ではなくなるように、前記テザーの位置が変化し、
前記テザーが、前記エアバッグが完全に展開すると前記排気開口と位置合わせされる第２のテザー開口を含む、請求項１に記載のエアバッグモジュール。
【請求項２】
前記第２のテザー開口が、前記第１のテザー開口よりも小さい、請求項１に記載のエアバッグモジュール。
【請求項３】
前記ガイド層が、前記排気開口と位置合わせされる第３の開口を含む、請求項１に記載のエアバッグモジュール。
【請求項４】
前記第３の開口の大きさが、前記排気開口の大きさと実質的に同一である、請求項３に記載のエアバッグモジュール。
【請求項５】
前記エアバッグが、前記エアバッグの展開方向と平行な平面内に実質的に延びるサイドパネルを含み、前記テザーが前記サイドパネルに接続される、請求項１に記載のエアバッグモジュール。
【請求項６】
膨張可能なエアバッグと、
前記エアバッグを膨張させるためにガスを供給するように構成されたインフレータと、
開口に隣接する前記エアバッグの表面に寄せて位置合わせされたテザーと、
を具備するエアバッグモジュールであって、
前記エアバッグが、前記エアバッグから膨張ガスを流出させることができるように、前記エアバッグの前記表面に排気開口を含み、
前記テザーが第１のテザー開口を含み、かつ前記テザーは、前記エアバッグの完全な展開前に前記第１のテザー開口と前記排気開口が位置合わせされるように構成され、
前記エアバッグの展開中に、前記第１のテザー開口及び排気開口が位置合わせされた状態ではなくなるように、前記テザーの位置が変化し、
前記テザーが第１及び第２の端部を含み、前記エアバッグの展開前に、前記第１及び第２の端部の両方が前記エアバッグに直接接続され、
前記エアバッグの展開中に、前記第１の端部が前記エアバッグから分離する、エアバッグモジュール。
【請求項７】
前記テザーは、前記エアバッグが展開すると破断する脆弱部を含み、前記脆弱部の破断後に、前記第１のテザー開口を含む前記テザーの一部が前記エアバッグに接続されていない自由端を有する、請求項６に記載のエアバッグモジュール。
【請求項８】
前記テザーが、前記エアバッグが完全に展開すると前記排気開口と位置合わせされる第２の開口を含む、請求項７に記載のエアバッグモジュール。
【請求項９】
前記第２開口が、前記第１開口と異なる大きさである、請求項８に記載のエアバッグモジュール。
【請求項１０】
車両乗員を保護するための膨張可能なエアバッグであって、
膨張ガスを膨張室内に保持するための境界層と、
膨張ガスを膨張室の外部に流出させることができる前記境界層の排気開口と、
前記境界層に接続され、かつ前記境界層に寄せて配置されたテザーと、
を具備し、
前記テザーは、前記エアバッグが膨張し始めると前記排気開口と位置合わせされる第１の開口と、前記エアバッグが完全に膨張すると前記排気開口と位置合わせされる第２の開口とを含み、
前記テザーは、前記境界層に直接接続される端部を備え、
前記エアバッグの展開中に、前記テザーの少なくとも一部が前記境界層から分離して、前記第２の開口が前記排気開口と位置合わせされるように、前記テザーの位置を変化させることができる、エアバッグ。
【請求項１１】
前記境界層が、前記エアバッグの展開方向と平行な平面内に実質的に延びるサイドパネルを含み、前記テザーが前記サイドパネルに接続される、請求項１０に記載のエアバッグ。
【請求項１２】
前記テザーが、前記エアバッグの展開方向と交差する方向に延びる、請求項１１に記載のエアバッグ。
【請求項１３】
前記境界層が、サイドパネルと、前記エアバッグが膨張すると前記乗員に面するように構成されたメインパネルとを含み、前記排気開口が前記サイドパネルに位置し、前記テザーの一端が前記メインパネルに接続される、請求項１０に記載のエアバッグ。
【請求項１４】
前記テザーが、前記エアバッグの展開方向と平行な方向に延びる、請求項１３に記載のエアバッグ。
【請求項１５】
前記テザーの前記エアバッグ開口とは反対側に配置され、これにより、前記テザーの位置を前記エアバッグの表面に寄せて維持するガイド層を更に含む、請求項１０に記載のエアバッグ。
【請求項１６】
前記ガイド層が、前記排気開口と位置合わせされる第３の開口を含む、請求項１５に記載のエアバッグ。
【請求項１７】
前記第３の開口の大きさが、前記排気開口の大きさと実質的に同一である、請求項１６に記載のエアバッグ。
【請求項１８】
前記第１及び第２の開口が異なる大きさである、請求項１０に記載のエアバッグ。
【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
０．０００１Ωｃｍ〜１００Ωｃｍの範囲のｐ型導電性を有する金属窒化物を形成するためのプロセスであって、
成長後の金属窒化物をアニール容器内に設置することと、
雰囲気ガスを排気して真空を提供することと、
大気圧を超える圧力である窒素種を含む窒素ガスの超過圧力を前記排気された容器に加えることと、
前記窒素種を前記金属窒化物中に拡散するのに十分な温度まで前記金属窒化物を加熱することと、
前記金属窒化物を少なくとも１時間アニールして、アニールされた金属窒化物を形成することと、
を含む、プロセス。
【請求項２】
前記金属窒化物が、ウエハ、ブール、エピタキシャル膜、表面に配置された少なくとも１つのエピタキシャル層を有するウエハからなる群から選択される、請求項１に記載のプロセス。
【請求項３】
前記金属窒化物が、ＩＩＩ‐Ｖ族金属窒化物化合物から本質的になる、請求項１に記載のプロセス。
【請求項４】
前記金属窒化物が、二元、三元、および四元ＩＩＩ−Ｖ族金属窒化物からなる群から選択される、請求項３に記載のプロセス。
【請求項５】
前記金属窒化物が、ｐ型ドープされたＡｌＮである、請求項１に記載のプロセス。
【請求項６】
前記金属窒化物が、ｐ型ドープされたＡｌ富化ＡｌＧａＮ合金である、請求項１に記載のプロセス。
【請求項７】
前記金属窒化物が、ＡＸＢ１−ＸＮの形態であり、ＡまたはＢが、ＩＩＩ族元素である、請求項６に記載のプロセス。
【請求項８】
前記雰囲気ガスが排気されて、大気圧〜１×１０−９トールの範囲の真空を提供する、請求項１に記載のプロセス。
【請求項９】
窒素ガスの前記超過圧力が、大気圧〜３．８×１０８トールの範囲である、請求項１に記載のプロセス。
【請求項１０】
窒素ガスの前記超過圧力が、１４００トール〜１０１００トールの範囲である、請求項１に記載のプロセス。
【請求項１１】
窒素ガスの前記超過圧力が、３８００トールを超える、請求項１に記載のプロセス。
【請求項１２】
前記金属窒化物が、１０００℃〜２２００℃の範囲の温度まで加熱される、請求項１に記載のプロセス。
【請求項１３】
前記金属窒化物が、１時間〜１００時間アニールされる、請求項１に記載のプロセス。
【請求項１４】
前記金属窒化物の温度が、前記プロセスを通して一定している、請求項１３に記載のプロセス。
【請求項１５】
前記アニールされた金属窒化物が、１０１８ｃｍ−２未満の窒素空孔密度を有する、請求項１に記載のプロセス。
【請求項１６】
前記アニールされたＩＩＩ‐Ｖ族金属窒化物が、最大１０２０ｃｍ−３のｐ型導電性濃度を有する、請求項１に記載のプロセス。
【請求項１７】
窒素空孔を減少させることによって成長後のＩＩＩ‐Ｖ族金属窒化物のｐ型導電性を改善するプロセスであって、
前記ＩＩＩ‐Ｖ族金属窒化物を窒素ガスの環境下で少なくとも１時間加熱することを含み、前記窒素ガスが、大気圧を超える超過圧力を形成する、プロセス。
【請求項１８】
成長後のＩＩＩ‐Ｖ族金属窒化物のｐ型導電性を改善するプロセスであって、
前記ＩＩＩ‐Ｖ族金属窒化物を窒素ガス環境下で１０００℃を超える温度まで加熱することと、
前記窒素ガス環境を少なくとも３８００トールまで加圧することと、
前記ＩＩＩ‐Ｖ族金属窒化物を１〜４８時間アニールして、前記金属窒化物の窒素空孔密度を減少させることと、
を含む、プロセス。
【請求項１９】
窒素空孔を減少させることによって成長後のＩＩＩ‐Ｖ族金属窒化物のｐ型導電性を改善するプロセスであって、
前記ＩＩＩ‐Ｖ族金属窒化物を窒素ガス環境下で２０００℃の温度まで加熱することと、
前記窒素ガス環境を７０００トールまで加圧することと、
前記ＩＩＩ‐Ｖ族金属窒化物を少なくとも２４時間アニールして、前記金属窒化物の窒素空孔密度を減少させ、かつ前記金属窒化物の抵抗率を０．０００１Ωｃｍ〜１００Ωｃｍまで減少させることと、を含む、プロセス。
【誤訳訂正書】
【提出日】平成27年6月11日(2015.6.11)
【誤訳訂正１】
【訂正対象書類名】特許請求の範囲
【訂正対象項目名】請求項１
【訂正方法】変更
【訂正の内容】
【請求項１】
式（Ｉ）
【化１】
2014520767.tif 000001
の化合物、または、その立体異性体もしくは互変異性体、または、薬学的に許容し得る前記それぞれの塩、あるいは、あらゆる比でのそれらの混合物であって、式中、
Ｒ１’、Ｒ１’’が、独立に、Ｈ、Ａ、Ｈａｌ、Ｃｙｃ、ＣＯ（Ｃｙｃ）であり、
Ｒ２が、Ｈ、Ａ、Ｑ１−（Ｃ（ＬＡ）Ｈ）ｎ−Ｑ２、Ｃｙｃであり
Ｒ３が、Ｈ、Ａ、−ＬＡ−Ｃｙｃであり、
Ａが、１個、２個、３個、４個もしくは５個のＣ原子を有する、非分岐または分岐の直鎖あるいは環状のアルキルであって、１個のＣＨ２基が、Ｏ原子もしくはＳ原子および／または−ＮＨ−基、−ＣＯ−基、−ＮＨＣＯＯ−基、−ＮＨＣＯＮＨ−基、−ＣＯＮＨ−基、−ＮＨＣＯ−基、−ＣＨ＝ＣＨ−基、−Ｎ＝ＣＨ−基あるいは−ＣＨ＝Ｎ−基で置換されていてもよく、１〜５個のＨ原子が、Ｈａｌで置換されていてもよく、１個のＣＨ基が、Ｎで置換されていてもよく、１個のＣＨ３基が、ＣＮで置換されていてもよく、
Ｈａｌが、Ｆ、Ｃｌ、ＢｒまたはＩであり、
Ｃｙｃが、０個、１個もしくは２個のＮ原子、Ｏ原子および／またはＳ原子と、４個、５個もしくは６個の骨格原子とを有する、単環の、非芳香族または芳香族の、同素環あるいは複素環であって、該環は、非置換であっても、Ｈａｌ、ＬＡ、ＯＨ、カルボニル酸素、ＳＨ、Ｏ（ＬＡ）、ＮＨ２、ＮＨ（ＬＡ）、Ｎ（ＬＡ）２、ＮＯ２、ＣＮ、ＯＣＮ、ＳＣＮ、ＣＯＯＨ、ＣＯＯ（ＬＡ）、ＣＯＮＨ２、ＣＯＮＨ（ＬＡ）、ＣＯＮ（ＬＡ）２、ＮＨＣＯ（ＬＡ）、ＮＨＣＯＮＨ（ＬＡ）、ＮＨＣＯＮＨ２、ＮＨＳＯ２（ＬＡ）、ＣＨＯ、ＣＯ（ＬＡ）、ＳＯ２ＮＨ２、ＳＯ２（ＬＡ）および／またはＳＯ２Ｈａｌで互いに独立して一置換または二置換されていてもよく、
Ｑ１が、−ＮＨ−、−Ｏ−、−ＣＯＯ−、−ＣＯＮＨ−、または単結合であり、
Ｑ２が、ＮＨ２、ＮＨ（ＬＡ）、Ｎ（ＬＡ）２、ＣＯＮＨ２、ＣＯＮＨ（ＬＡ）、ＣＯＮ（ＬＡ）２、ＣＯＯＨ、ＣＯＯ（ＬＡ）、Ｃｙｃ、ＣＯ（Ｃｙｃ）であり、
ｎが、０、１、２、３または４であり、
Ａｒが、０個、１個、２個、３個もしくは４個のＮ、Ｏ原子および／またはＳ原子と、５個、６個、７個、８個、９個または１０個の骨格原子とを有する、単環もしくは二環の、芳香族の同素環または複素環であって、該環は、非置換であっても、Ｈａｌ、Ａ、ＯＨ、ＳＨ、ＯＡ、ＮＨ２、ＮＨＡ、ＮＡ２、ＮＯ２、ＣＮ、ＯＣＮ、ＳＣＮ、ＣＯＯＨ、ＣＯＯＡ、ＣＯＮＨ２、ＣＯＮＨＡ、ＣＯＮＡ２、ＮＨＣＯＡ、ＮＨＣＯＮＨＡ、ＮＨＣＯＮＨ２、ＮＨＳＯ２Ａ、ＣＨＯ、ＣＯＡ、ＳＯ２ＮＨ２、ＳＯ２Ａ、ＳＯ２Ｈａｌおよび／または（Ｘ）ｍ−Ｃｙｃで互いに独立して一置換、二置換または三置換されていてもよく、
環のＮ原子において、Ｏ原子で置換され、Ｎ−オキシド基を形成してもよく、
二環式系の場合、一方の環が芳香族であり、他方の環が非芳香族であってもよく、
Ｘが、ＣＨ２、ＮＨ、Ｏであり、
Ｗ、Ｙ、Ｚが、ＣＨまたはＮであり、Ｗ、Ｙ、Ｚの少なくとも２個がＣＨであり、
ｍが、０または１であり、ならびに、
ＬＡが、Ｈ、あるいは、１個、２個もしくは３個もしくは４個のＣ原子を有する非分岐または分岐の直鎖アルキルであって、１個、２個または３個のＨ原子が、Ｈａｌで置換されていてもよい、
前記の化合物、または、その立体異性体もしくは互変異性体、または、薬学的に許容し得る前記それぞれの塩、あるいは、あらゆる比でのそれらの混合物。
【誤訳訂正２】
【訂正対象書類名】明細書
【訂正対象項目名】０００８
【訂正方法】変更
【訂正の内容】
【０００８】
式中：
Ｒ１’、Ｒ１’’が、独立に、Ｈ、Ａ、Ｈａｌ、Ｃｙｃ、ＣＯ（Ｃｙｃ）であり、
Ｒ２が、Ｈ、Ａ、Ｑ１−（Ｃ（ＬＡ）Ｈ）ｎ−Ｑ２、Ｃｙｃであり
Ｒ３が、Ｈ、Ａ、−ＬＡ−Ｃｙｃであり、
Ａが、１個、２個、３個、４個もしくは５個のＣ原子を有する、非分岐または分岐の直鎖あるいは環状のアルキルであって、１個のＣＨ２基が、Ｏ原子もしくはＳ原子および／または−ＮＨ−基、−ＣＯ−基、−ＮＨＣＯＯ−基、−ＮＨＣＯＮＨ−基、−ＣＯＮＨ−基、−ＮＨＣＯ−基、−ＣＨ＝ＣＨ−基、−Ｎ＝ＣＨ−基あるいは−ＣＨ＝Ｎ−基で置換されていてもよく、１〜５個のＨ原子が、Ｈａｌで置換されていてもよく、１個のＣＨ基が、Ｎで置換されていてもよく、１個のＣＨ３基が、ＣＮで置換されていてもよく、
Ｈａｌが、Ｆ、Ｃｌ、ＢｒまたはＩであり、
【誤訳訂正３】
【訂正対象書類名】明細書
【訂正対象項目名】００１０
【訂正方法】変更
【訂正の内容】
【００１０】
Ａｒが、０個、１個、２個、３個もしくは４個のＮ、Ｏ原子および／またはＳ原子と、５個、６個、７個、８個、９個または１０個の骨格原子とを有する、単環もしくは二環の、芳香族の同素環または複素環であって、該環は、非置換であっても、Ｈａｌ、Ａ、ＯＨ、ＳＨ、ＯＡ、ＮＨ２、ＮＨＡ、ＮＡ２、ＮＯ２、ＣＮ、ＯＣＮ、ＳＣＮ、ＣＯＯＨ、ＣＯＯＡ、ＣＯＮＨ２、ＣＯＮＨＡ、ＣＯＮＡ２、ＮＨＣＯＡ、ＮＨＣＯＮＨＡ、ＮＨＣＯＮＨ２、ＮＨＳＯ２Ａ、ＣＨＯ、ＣＯＡ、ＳＯ２ＮＨ２、ＳＯ２Ａ、ＳＯ２Ｈａｌおよび／または（Ｘ）ｍ−Ｃｙｃで互いに独立して一置換、二置換または三置換されていてもよく、
環のＮ原子において、Ｏ原子で置換され、Ｎ−オキシド基を形成してもよく、
二環式系の場合、一方の環が芳香族であり、他方の環が非芳香族であってもよく、
Ｘが、ＣＨ２、ＮＨ、Ｏであり、
Ｗ、Ｙ、Ｚが、ＣＨまたはＮであり、Ｗ、Ｙ、Ｚの少なくとも２個がＣＨであり、
ｍが、０または１であり、ならびに、
ＬＡが、Ｈ、あるいは、１個、２個もしくは３個もしくは４個のＣ原子を有する非分岐または分岐の直鎖アルキルであって、１個、２個または３個のＨ原子が、Ｈａｌで置換されていてもよい、